【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
リスク管理のための方法であって：
第１のユーザによって送信された決済要求を受信し、前記第１のユーザのユーザ属性を特定するステップであって、前記決済要求は、第２のユーザの識別情報を含む、前記ユーザ属性を特定するステップ（１０１）と；
前記第２のユーザの識別情報に基づいて、前記決済要求に含まれる前記第２のユーザの識別情報に対応する前記第２のユーザのユーザ属性を、ユーザ属性データベースから検索するステップ（１０２）と；
前記第１のユーザのユーザ属性と前記第２のユーザのユーザ属性とを用いて、前記第１のユーザと前記第２のユーザとの間のユーザ属性類似度を特定するステップであって、前記ユーザ属性類似度は、前記第１のユーザと前記第２のユーザとの間の社会的関係を確立する可能性を表すために使用される、前記ユーザ属性類似度を特定するステップ（１０３）と；
前記ユーザ属性類似度に基づいて、前記第１のユーザによって送信された前記決済要求に対するリスク管理を実行するステップ（１０４）と；を備える、
リスク管理方法。
【請求項２】
前記第１のユーザの前記ユーザ属性を特定するステップは：
前記第１のユーザの識別情報と社会的関係を有する第３のユーザの識別情報をログ情報データベースから検索するステップ（２０２）と；
前記第３のユーザの識別情報に前記第２のユーザの識別情報が含まれていないと特定された場合に、前記第１のユーザのユーザ属性を特定するステップ（２０３）と；を備える、
請求項１に記載のリスク管理方法。
【請求項３】
前記第３のユーザの識別情報に前記第２のユーザの識別情報が含まれていると特定された場合に、前記第２のユーザの識別情報と同一の前記識別された前記第３のユーザの識別情報を前記第１のユーザに送信し、前記第１のユーザに、前記第３のユーザの識別情報と前記第２のユーザの識別情報とを確認するように通知するステップ（２０４）と；を備える、
請求項２に記載のリスク管理方法。
【請求項４】
前記ユーザ属性類似度は、前記第１のユーザと前記第３のユーザとの間で共有される同一の属性タイプ及びコンテンツのユーザ属性の重みを備える、
請求項２又は請求項３に記載のリスク管理方法。
【請求項５】
前記第１のユーザのユーザ属性と前記第２のユーザのユーザ属性とを用いて前記第１のユーザと前記第２のユーザとの間のユーザ属性類似度を特定するステップは：
前記第１のユーザと前記第２のユーザとの間で共有される同一タイプ及び同一コンテンツのユーザ属性の数を計算するステップと；
前記第１のユーザと前記第２のユーザとの間のユーザ属性類似度を、前記数に基づいて特定するステップ（２０７）と；を備える、
請求項１乃至請求項４のいずれか１項に記載のリスク管理方法。
【請求項６】
前記ユーザ属性類似度に基づいて、前記第１のユーザによって送信された前記決済要求に対するリスク管理を実行するステップは：
前記決済要求に含まれる前記第２のユーザの識別情報を確認するよう前記第１のユーザに通知するための通知メッセージを、前記第１のユーザに送信するステップ；又は、
前記ユーザ属性類似度が所定の閾値以上である場合に、前記第１のユーザによって送信された前記決済要求に応答するステップ；を備える、
請求項５に記載のリスク管理方法。
【請求項７】
リスク管理のための装置であって、請求項１乃至請求項６のいずれか１項に記載の方法を実行するように構成された複数のモジュールを備える、
リスク管理装置。
【手続補正２】
【補正対象書類名】明細書
【補正対象項目名】００８８
【補正方法】変更
【補正の内容】
【００８８】
明らかなことは、当業者は、本願の精神及び範囲から逸脱することなく、本願に対して様々な修正及び変形を行うことができることである。本願は、添付の特許請求の範囲及びその記載に相当する技術によって記載される保護の範囲内にある限り、本願のこれらの改変及び変形を包含することが意図される。
以下、本発明の実施の態様の例を列挙する。
［第１の局面］
第１のユーザによって送信された決済要求を受信し、前記第１のユーザのユーザ属性を特定するステップであって、前記決済要求は、第２のユーザの識別情報を含む、前記ユーザ属性を特定するステップと；
前記第２のユーザの識別情報に基づいて、前記決済要求に含まれる前記第２のユーザの識別情報に対応する前記第２のユーザのユーザ属性を、ユーザ属性データベースから検索するステップと；
前記第１のユーザのユーザ属性と前記第２のユーザのユーザ属性とを用いて、前記第１のユーザと前記第２のユーザとの間のユーザ属性類似度を特定するステップであって、前記ユーザ属性類似度は、前記第１のユーザと前記第２のユーザとの間の社会的関係を確立する可能性を表すために使用される、前記ユーザ属性類似度を特定するステップと；
前記ユーザ属性類似度に基づいて、前記第１のユーザによって送信された前記決済要求に対するリスク管理を実行するステップと；を備える、
リスク管理方法。
［第２の局面］
前記第１のユーザのユーザ属性を特定する前記ステップは：
前記第１のユーザの識別情報と社会的関係を有する第３のユーザの識別情報をログ情報データベースから検索するステップと；
前記第３のユーザの識別情報に前記第２のユーザの識別情報が含まれていないと特定された場合に、前記第１のユーザのユーザ属性を特定するステップと；を備える、
第１の局面に記載のリスク管理方法。
［第３の局面］
前記第３のユーザの識別情報に前記第２のユーザの識別情報が含まれていると特定された場合に、前記第２のユーザの識別情報と同一の前記識別された前記第３のユーザの識別情報を前記第１のユーザに送信するステップと；
前記第１のユーザに、前記第３のユーザの識別情報と前記第２のユーザの識別情報とを確認するように通知するステップと；を備える、
第２の局面に記載のリスク管理方法。
［第４の局面］
前記第１のユーザのユーザ属性と前記第２のユーザのユーザ属性とを用いて前記第１のユーザと前記第２のユーザとの間のユーザ属性類似度を特定する前記ステップは：
前記第１のユーザと前記第２のユーザとの間で共有される同一タイプ及び同一コンテンツのユーザ属性の数を計算するステップと；
前記第１のユーザと前記第２のユーザとの間のユーザ属性類似度を、前記数に基づいて特定するステップと；を備える、
第１又は２の局面に記載のリスク管理方法。
［第５の局面］
前記ユーザ属性類似度に基づいて、前記第１のユーザによって送信された前記決済要求に対するリスク管理を実行する前記ステップは：
前記決済要求に含まれる前記第２のユーザの識別情報を確認するよう前記第１のユーザに通知するための通知メッセージを、前記第１のユーザに送信するステップ；又は、
前記ユーザ属性類似度が所定の閾値以上である場合に、前記第１のユーザによって送信された前記決済要求に応答するステップ；を備える、
第４の局面に記載のリスク管理方法。
［第６の局面］
第１のユーザによって送信された決済要求を受信し、前記第１のユーザのユーザ属性を特定するように構成されたものであって、前記決済要求は、第２のユーザの識別情報を含む、受信ユニットと；
前記第２のユーザの識別情報に基づいて、前記決済要求に含まれる前記第２のユーザの識別情報に対応する前記第２のユーザのユーザ属性を、ユーザ属性データベースから検索するものであって、前記ユーザ属性データベースが異なる複数のユーザのユーザ属性を格納している、検索ユニットと；
前記第１のユーザのユーザ属性と前記第２のユーザのユーザ属性とを用いて前記第１のユーザと前記第２のユーザとの間のユーザ属性類似度を特定するものであって、前記ユーザ属性類似度は、前記第１のユーザと前記第２のユーザとの間の社会的関係を確立する可能性を表すために使用される、特定ユニットと；
前記ユーザ属性類似度に基づいて、前記第１のユーザによって送信された前記決済要求に対するリスク管理を実行するように構成された管理ユニットと；を備える、
リスク管理装置。
［第７の局面］
前記受信ユニットが第１のユーザのユーザ属性を決定することは：
前記第１のユーザの識別情報と社会的関係を有する第３のユーザの識別情報をログ情報データベースから検索し；
前記第３のユーザの識別情報に前記第２のユーザの識別情報が含まれていないと特定された場合に、前記第１のユーザのユーザ属性を特定することを含む、
第６の局面に記載のリスク管理装置。
［第８の局面］
送信ユニットをさらに備え、
前記送信ユニットは、前記第３のユーザの識別情報に前記第２のユーザの識別情報が含まれると特定された場合に、前記第２のユーザの識別情報と同一の前記識別された前記第３のユーザの識別情報を前記第１のユーザに送信し、第１のユーザに、第３のユーザの識別情報及び第２のユーザの識別情報を確認するように通知する、
第７の局面に記載のリスク管理装置。
［第９の局面］
前記第１のユーザのユーザ属性と前記第２のユーザのユーザ属性とを用いて、前記第１のユーザと前記第２のユーザとの間の前記ユーザ属性類似度を特定する前記特定ユニットは：
前記第１のユーザと前記第２のユーザとの間で共有される同一タイプ及び同一コンテンツのユーザ属性の数を計算し、
前記第１のユーザと前記第２のユーザとの間のユーザ属性類似度を、前記数に基づいて決定する、
第６又は７の局面に記載のリスク管理装置。
［第１０の局面］
前記ユーザ属性類似度に基づいて、前記第１のユーザにより送信された前記決済要求に対するリスク管理を行う前記管理ユニットは：
前記第１のユーザに前記決済要求に含まれる前記第２のユーザの識別情報を確認するよう前記第１のユーザに通知するための通知メッセージを前記第１のユーザに送信する、又は、
前記ユーザ属性類似度が所定の閾値以上である場合に、前記第１のユーザによって送信された前記決済要求に応答する、
第９の局面に記載のリスク管理装置。